(57)【要約】【課題】  印刷装置で発生する警告を解除する際の柔軟性を高める。【解決手段】  ディスプレイを有する印刷装置であって、複数種の印刷継続が可能な異常事態（以下「警告」）の発生を検出する検知手段と、警告に対応した表示メッセージを格納する記憶手段と、前記ディスプレイへの表示を制御する表示制御手段とを備え、前記表示制御手段は、警告が検出された場合に、その警告に対応した表示メッセージを前記ディスプレイに表示させるとともに、その表示中に所定の操作を受け付けた場合には、前記警告についての前記ディスプレイへの表示を終了することを特徴とする印刷装置。【選択図】  図１
2006137093.tif 000002
【特許請求の範囲】
【請求項１】
ディスプレイを有する印刷装置であって、
複数種の印刷継続が可能な異常事態（以下「警告」）の発生を検出する検知手段と、
それぞれの警告に対応した表示メッセージを格納する記憶手段と、
前記ディスプレイへの表示を制御する表示制御手段とを備え、
前記表示制御手段は、
警告が検出された場合に、その警告に対応した表示メッセージを前記ディスプレイに表示させるとともに、その表示中に所定の操作を受け付けた場合には、前記警告についての前記ディスプレイへの表示を終了することを特徴とする印刷装置。
【請求項２】
請求項１に記載の印刷装置であって、
前記記憶手段は、それぞれの警告に対応して、前記ディスプレイへの表示の終了が可能か否かの情報をさらに格納し、
前記表示制御手段は、前記ディスプレイへの表示の終了が可能とされた警告に対応した表示メッセージの表示中に限り、前記所定の操作を受け付け可能とすることを特徴とする印刷装置。
【請求項３】
請求項２に記載の印刷装置であって、
前記表示制御手段は、前記ディスプレイへの表示の終了が可能とされた警告に対応した表示メッセージの表示とともに、前記ディスプレイへの表示の終了が可能であることを示す表示を行なうことを特徴とする印刷装置。
【請求項４】
請求項１に記載の印刷装置であって、
前記表示制御手段は、前記警告に対応した表示メッセージの表示とともに、前記所定の操作を示す表示を行なうことを特徴とする印刷装置。
【請求項５】
請求項１に記載の印刷装置であって、
前記記憶手段は、少なくとも一部の警告に対応して、その対象方法を示すヘルプデータを格納し、
前記表示制御手段は、前記警告に対応したヘルプデータを表示する際に、前記所定の操作を示す表示を含めることを特徴とする印刷装置。
【請求項６】
請求項１に記載の印刷装置であって、
前記表示制御手段は、前記所定の操作を受け付けると、さらに、確認のための操作を受け付けた場合に限り、前記警告についての前記ディスプレイへの表示を終了することを特徴とする印刷装置。
【発明の詳細な説明】
【技術分野】
【０００１】
本発明は、警告情報を表示するためのディスプレイを有する印刷装置に関する。
【背景技術】
【０００２】
液晶表示装置等のディスプレイを備えている印刷装置が知られている。ディスプレイは、メニュー等を表示することにより印刷装置の各種設定に用いる他、印刷装置で発生している警告等をユーザに通知する役割も担っている。ここで、警告は、消耗品の残量僅少、印刷データの指示通りの印刷ができなかった等の印刷は可能であるが放置すれば印刷ができなくなったり印刷品質が低下するような状態を意味するものとする。
【０００３】
警告は同時に複数発生することもあるが、一般にディスプレイの表示領域は限られているため、複数の警告を一斉に表示させることは困難である。そこで、特許文献１には、警告等が複数発生していることをユーザに通知することができるディスプレイが開示されている。
【特許文献１】特開２００４−２５５２５号公報
【発明の開示】
【発明が解決しようとする課題】
【０００４】
従来から印刷装置には、発生した警告を解除する機能が備えられている。これは、ユーザが警告を確認して、以降の表示が不要と考えた場合にメニュー操作で警告の解除を指示するものである。
【０００５】
この解除指示は、発生しているすべての警告に対して適用されるため、複数の警告が発生している場合には、警告解除の指示により一斉に全警告が解除されていた。
【０００６】
しかしながら、警告には、印刷データの指示通りの印刷ができなかった等の印刷結果に関する警告のようにユーザが警告を確認したら警告状態を解除してよい警告と、消耗品の残量僅少等の印刷装置の状態に関する警告のように異常事態が解消されるまで解除することが望ましくない警告がある。このため、警告の解除により柔軟に対応できることが望まれいている。
【０００７】
本発明は、印刷装置で発生する警告を解除する際の柔軟性を高めることを目的とする。
【課題を解決するための手段】
【０００８】
上記課題を解決するための本発明による印刷装置は、
ディスプレイを有する印刷装置であって、
複数種の印刷継続が可能な異常事態（以下「警告」）の発生を検出する検知手段と、
それぞれの警告に対応した表示メッセージを格納する記憶手段と、
前記ディスプレイへの表示を制御する表示制御手段とを備え、
前記表示制御手段は、
警告が検出された場合に、その警告に対応した表示メッセージを前記ディスプレイに表示させるとともに、その表示中に所定の操作を受け付けた場合には、前記警告についての前記ディスプレイへの表示を終了することを特徴とする。
【０００９】
本発明によれば、表示されているメッセージについて直接的に表示を終了することができるため、ユーザが表示が不要と考えた警告について簡易に警告状態を解除することができるようになる。
【００１０】
ここで、前記記憶手段は、警告に対応して、前記ディスプレイへの表示の終了が可能か否かの情報をさらに格納し、
前記表示制御手段は、前記ディスプレイへの表示の終了が可能とされた警告に対応した表示メッセージの表示中に限り、前記所定の操作を受け付け可能とすることが望ましい。
【００１１】
これにより、ユーザが警告を確認したら警告状態を解除してよい警告と、異常事態が解消されるまで解除することが望ましくない警告に対応することができるようになる。
【００１２】
このとき、前記表示制御手段が、前記ディスプレイへの表示の終了が可能とされた警告に対応した表示メッセージの表示とともに、前記ディスプレイへの表示の終了が可能であることを示す表示を行なったり、前記警告に対応した表示メッセージの表示とともに、前記所定の操作を示す表示を行なうことにより、一層操作性が向上する。
【発明を実施するための最良の形態】
【００１３】
本発明の実施の形態について図面を参照して説明する。
【００１４】
図１は、本発明の一実施形態に係る印刷装置１０のハードウェア構成を示すブロック図である。本図に示すように、印刷装置１０は、制御部１１とコントロールパネル１２と印刷機構部１３とを備えて構成される。
【００１５】
制御部１１は、受信した印刷データに応じた内容の印刷を印刷機構部１３に実行させる印刷制御処理、コントロールパネル１２における表示処理あるいはコントロールパネル１２に対するユーザの操作に応答する処理等を行うユニットである。
【００１６】
この制御部１１は、図示するように、ホストインタフェース回路２１、ＣＰＵ２２、ＲＡＭ２３、メモリ制御部２４、ＲＯＭ２５、ＥＥＰＲＯＭ２６、インタフェース回路部２７等で構成されている。
【００１７】
制御部１１を構成しているＲＯＭ２５は、各種のプログラム、データ等が記憶された不揮発性メモリである。ＲＡＭ２３は、ＲＯＭ２５に記憶されているプログラムが読み出されるメモリであるとともに、ＲＡＭ２３上に読み出されているプログラムの作業領域として用いられるメモリである。ＥＥＰＲＯＭ２６は、印刷装置１０の電源投入直後の動作条件を規定する各種の情報を記憶しておくための不揮発性メモリである。
【００１８】
ＣＰＵ２２は、ＲＡＭ２３上のプログラムに従って各部を統合的に制御する制御回路である。ホストインタフェース回路２１は、ＣＰＵ２２の制御の下で、図示しないホスト装置（本印刷装置１０用のプリンタドライバがインストールされたコンピュータ等）との間で通信を行うための回路である。
【００１９】
メモリ制御部２４は、ＣＰＵ２２の制御の下で、ホストインタフェース回路２１からＲＡＭ２３にデータを転送する処理、ＲＡＭ２３上にＣＰＵ２２が生成した印刷用イメージデータに応じた信号を印刷機構部１３へ供給する処理等を行う回路である。
【００２０】
インタフェース回路部２７は、ＣＰＵ２２とコントロールパネル１２との間、ＣＰＵ２２と印刷機構部１３との間でデータを授受するための複数のインタフェース回路からなるユニットである。
【００２１】
印刷機構部１３は、制御部１１の制御の下で、用紙に対して印刷を行うユニットである。この印刷機構部１３は、制御部１１から供給される信号に基づき用紙上に実際に印刷を行う印刷エンジン、印刷エンジンに用紙を供給するための複数の給紙装置、印刷が行われた用紙を印刷装置１０外に排出するための排紙装置等で構成されている。印刷エンジンは、例えば、トナーを用紙に付着させるレーザ方式、インクを用紙に吐出するインクジェット方式等を用いることができる。
【００２２】
コントロールパネル１２は、ユーザと印刷装置１０との間のインタフェースとして、印刷装置１０の筐体上に設けられているユニットである。コントロールパネル１２には、印刷装置１０からの情報を表示するための液晶ディスプレイとユーザからの指示を受け付けるためのボタンとを備えている。
【００２３】
図２は、コントロールパネル１２の外観の一例を示す図である。本図に示すように、コントロールパネル１２には、液晶ディスプレイ（ＬＣＤ）３０、左ボタン３１、上ボタン３２、下ボタン３３、右ボタン３４、ジョブキャンセルボタン３５、データランプ３６、印刷可ランプ３７、エラーランプ３８、印刷可ボタン３９が設けられている。
【００２４】
矢印が付された左ボタン３１、上ボタン３２、下ボタン３３、右ボタン３４は、液晶ディスプレイ３０に表示される設定メニューに対する操作等において、それぞれ基本的な機能が割り当てられている。
【００２５】
ここでは、例えば、左ボタン３１は「戻る」、上ボタン３２は「上移動」、下ボタン３３は「下移動」、右ボタン３４は「設定実行」の各機能が割り当てられているものとする。なお、「戻る」は、メニューの階層を１つ上がったり、各種設定を行なう設定モードから通常モードに復帰するため等に用いる機能である。また、「上移動」「下移動」は、メニューに表示された項目を移動するため等に用いる機能である。
【００２６】
円形の印刷可ボタン３９は、オンライン／オフラインの切り替えを行なうためのボタンであり、ジョブキャンセルボタン３５は、処理中の印刷を中止させるためのボタンである。
【００２７】
データランプ３６は、印刷データの受信中に点灯する発光ダイオード（ＬＥＤ）であり、印刷可ランプ３７は、オンライン状態でかつ印刷が可能な状態にあるときに点灯するＬＥＤである。エラーランプ３８は、エラーが発生しているときに点灯するＬＥＤである。
【００２８】
図３は、印刷装置１０の警告処理に関する機能構成を示すブロック図である。本図に示すように、印刷装置１０は、警告検知部１１１、表示制御部１１２、指示受付部１１３、警告管理テーブル１１４、ヘルプデータベース１１５、発生警告リスト１１６を備えている。これらの機能部は、ＲＯＭ２５に記録されたプログラムをＣＰＵ２２が実行したり、ＲＯＭ２５に記録された各種データ等に基づいて主として制御部１１に仮想的に構築される。
【００２９】
警告検知部１１１は、印刷装置１０に備えられた各種センサー、カウンタ等（図示せず）を監視して、印刷装置１０で警告とするべき異常事態が発生したことを検出する。このとき、警告検知部１１１は、印刷装置１０のどの部分でどのような異常事態が発生したかを特定できるようになっている。特定された異常事態は、例えば、警告コードにより示される。
【００３０】
ここで、警告は、消耗品の残量僅少、印刷データの指示通りの印刷ができなかった等の印刷は可能であるが放置すれば印刷ができなくなったり印刷品質が低下するような状態を意味するものとする。この点において、用紙詰まり、用紙切れ等の印刷の継続が不可能な異常事態を意味するエラーと区別される。
【００３１】
表示制御部１１２は、警告処理に関する情報等を液晶ディスプレイ３０に表示させるための処理を行なう。表示制御部１１２は、指示受付部１１３を介して受け付けるユーザからの指示に応じて、あらかじめ定められた規則にしたがった警告処理に関する表示を行なう。
【００３２】
指示受付部１１３は、コントロールパネル１２に設けられたボタン操作により、ユーザからの指示を受け付ける。
【００３３】
警告管理テーブル１１４は、印刷装置１０で扱う警告についての情報が記録されたテーブルである。
【００３４】
図４は、警告管理テーブル１１４の一例を示す図である。本図に示すように警告管理テーブル１１４は、警告単位に、優先順位１１４ａ、警告メッセージ１１４ｂ、解除可否１１４ｃ、ヘルプ１１４ｄを記録している。なお、これらのデータは、警告が警告コードで示される場合には、警告コードに対応して記録されているものとする。すなわち、警告コードから、その警告についての優先順位１１４ａ、警告メッセージ１１４ｂ、解除可否１１４ｃ、ヘルプ１１４ｄを導くことが可能となっている。
【００３５】
優先順位１１４ａは、複数の警告が発生した場合の、液晶ディスプレイ３０に表示する順序である。すなわち、警告はその重要度、緊急度に応じてあらかじめ表示する優先順位が定められている。
【００３６】
警告メッセージ１１４ｂは、警告が発生した場合に液晶ディスプレイ３０に表示するメッセージである。ユーザはこのメッセージを見ることにより、どのような警告が発生したかを知ることができる。
【００３７】
解除可否１１４ｃは、その警告についての解除の可否が記録される。例えば、印刷データの指示通りの印刷ができなかった等のユーザが警告を確認したら警告状態を解除してよい警告には「可」が記録される。一方、耗品の残量僅少等のように異常事態が解消されるまで解除することが望ましくない警告には「不可」が記録される。
【００３８】
大まかにいえば、印刷結果に関する警告には「可」が記録され、印刷装置１０の状態に関する警告には「不可」が記録される。もちろん、すべての警告について、警告状態を解除してよいようにしてもよい。
【００３９】
本実施形態では、警告状態を解消してもよい警告の場合には、ユーザの指示に基づいてその警告の状態を解消することができるようになっている。このため、表示制御部１１２は、ユーザの指示に基づいて警告状態を解消する処理をおこなう警告解除部１１２ａを含んでいる。
【００４０】
ヘルプ１１４ｄは、警告が発生した場合に、対応するヘルプ表示用のデータが用意されているかどうか、用意されている場合には、そのヘルプデータを特定するための識別子が記録される。すなわち、対応するヘルプデータがない警告には「なし」が記録され、対応するヘルプデータが用意されている警告には、「Ｈ０１」等の識別子が記録されている。
【００４１】
ヘルプデータベース１１５は、警告が発生した場合の対処方法等を示すヘルプデータを格納するデータベースである。ただし、すべての警告に対してヘルプデータを用意しておく必要はない。ヘルプデータベース１１５は、ヘルプデータに識別子を付して管理している。
【００４２】
発生警告リスト１１６は、発生している警告をリスト形式で格納する。発生している警告は、例えば、警告コードにより表わすことができる。同時に複数の警告が発生している場合には、それぞれの警告が発生警告リスト１１６に登録される。また、警告が解除された場合、解消された場合には、発生警告リスト１１６から削除される。
【００４３】
次に、本実施形態に係る印刷装置１０の警告処理に関する動作を説明する。
【００４４】
図５は、警告が発生したことをユーザに通知する処理に関する動作を説明するためのフロー図である。
【００４５】
印刷装置１０は、警告検知部１１１により、警告の発生を監視しており（Ｓ１０１）、警告が発生していないときは（Ｓ１０１：Ｎ）、液晶ディスプレイ３０は通常表示となる（Ｓ１０２）。ここで、通常表示は、そのときの印刷装置１０の状態に応じて、例えば「印刷可能です」「印刷中です」「待機中です」等とすることができる。
【００４６】
なお、警告の発生の監視は、常時行なうようにしてもよいし、特定の状況時、例えば、印刷装置１０の電源投入時、印刷データ受信時、ホスト装置からの問い合わせ受付時等に行なうようにしてもよい。
【００４７】
警告検知部１１１が警告の発生を検知すると（Ｓ１０１：Ｙ）、どのような警告が発生しているかを特定する（Ｓ１０３）。警告の内容は、警告検出用に設けられたセンサの出力結果、カウンタ値等により特定することができる。
【００４８】
そして、特定された警告を発生警告リスト１１６に追加する（Ｓ１０４）。なお、発生警告リスト１１６への追加は、新たに発生した警告を対象とするものとする。
【００４９】
警告には対処をしないとその状態が継続するものも含まれており、また、異なる個所で異常が発生することもある。このため、警告が同時に複数発生することがある。一方、液晶ディスプレイ３０の表示領域には制限があり、複数の警告をまとめて表示することが困難な場合もある。そこで、表示制御部１１２は、複数の警告にも対応できるような表示方式を採用している。
【００５０】
このため、表示制御部１１２は、警告が複数発生しているかどうかを判断する（Ｓ１０５）。これは、例えば、発生警告リスト１１６に登録されている警告の数をカウントすることで判断することができる。
【００５１】
その結果、警告が複数発生している場合（Ｓ１０５：Ｙ）には、表示制御部１１２は、警告管理テーブル１１４を参照して、発生している警告の表示の順番を決定する（Ｓ１０６）。具体的には、発生している複数の警告について、警告管理テーブル１１４の優先順位１１４ａの高い順に並べ替える。なお、発生警告リスト１１６への登録の際に、優先順位の高い順に記録するようにしておいてもよい。
【００５２】
そして、最も優先順位が高い警告を最初の表示対象として設定する。なお、発生している警告が１つだけのとき（Ｓ１０５：Ｎ）は、当然のその警告が表示対象となる。
【００５３】
表示対象の警告が決まると、表示制御部１１２は、警告管理テーブル１１４を参照して、表示対象となった警告についてヘルプが用意されているかどうかを判断する（Ｓ１０７）。
【００５４】
具体的には、警告管理テーブル１１４において、表示対象となった警告に対応したヘルプ１１４ｄにヘルプ識別子が記録されていればヘルプが用意されていなると判断し、表示対象となった警告に対応したヘルプ１１４ｄに「なし」が記録されていればヘルプが用意されていないと判断する。
【００５５】
そして、表示制御部１１２は、警告管理テーブル１１４を参照して、表示対象となっている警告に対応した警告メッセージを液晶ディスプレイ３０に表示する（Ｓ１０８）。このとき、ヘルプが用意されているかどうかに応じて表示内容を変更させるようにする。
【００５６】
図６は、ヘルプが用意されている警告を表示する液晶ディスプレイ３０を示している。本図の例では、液晶ディスプレイ３０の上部に警告メッセージが表示され、液晶ディスプレイ３０の下部には、左ボタンを示すアイコンとともに、ヘルプガイドとして「押すとヘルプが表示されます」というヘルプを表示させるための操作方法が表示されている。
【００５７】
この状態で、左ボタン３１の押下を受け付けた場合には、表示対象となっている警告に対応したヘルプ１１４ｄに記録されているヘルプＩＤをキーにヘルプデータベース１１５からヘルプデータを取得して、液晶ディスプレイ３０に表示する。
【００５８】
図６は、ヘルプが用意されていない警告を表示する液晶ディスプレイ３０を示している。本図の例では、液晶ディスプレイ３０の上部に警告メッセージが表示され、液晶ディスプレイ３０の下部には、ヘルプを表示させるためのガイドの表示はない。もちろん、左ボタン３１が押されたとしてもヘルプは表示されない。
【００５９】
なお、図６の液晶ディスプレイ３０の上部には下向きの三角のマーク３０１が表示され、図７の液晶ディスプレイ３０の上部には、下向きの三角のマーク３０１に加え、上向きの三角のマーク３０２が表示されている。
【００６０】
この三角マークは、表示されている警告の他に、他の警告あるいはエラーが発生していることを示している。ユーザは、下向きの三角のマーク３０１、上向きの三角マーク３０２にしたがって、上ボタン３２、下ボタン３３、を操作することにより、他の警告、エラーに関するメッセージを表示させることができる。
【００６１】
このようにして、ユーザは発生している警告をすべて液晶ディスプレイ３０上で確認することができる。
【００６２】
つぎに、表示された警告を解除する処理について説明する。上述のように、警告には、印刷データの指示通りの印刷ができなかった等の印刷結果に関する警告のようにユーザが警告を確認したら警告状態を解除してよい警告と、消耗品の残量僅少等の印刷装置の状態に関する警告のように異常事態が解消されるまで解除することが望ましくない警告がある。
【００６３】
このため、本実施形態では、ユーザが警告を確認したら警告状態を解除してよい警告について、ユーザに指示により警告状態を解除できるようにしている。
【００６４】
図８は、警告状態を解除できる警告が表示されている場合の処理の概要を説明するフロー図である。なお、表示対象となっている警告が警告状態を解除できるかどうかは、警告管理テーブル１１４の解除可否１１４ｃを参照することで判断することができる。
【００６５】
表示されている警告が警告状態を解除できない警告の場合、エラーの場合には、本フロー図による解除の対象とならない。これらは、原因となっている異常状態が解消されることにより解除される。
【００６６】
本実施形態では、表示対象となっている解除可能な警告についてユーザは警告状態を解除することができるようになっている。このため、他の警告が表示されており、解除しようとしている警告が表示されていない場合には、ボタン操作により、解除しようとしている警告を液晶ディスプレイ３０に表示させるようにする。
【００６７】
表示制御部１１２の警告解除部１１２ａは、表示対象となっている警告が警告解除できる場合には、ユーザからその警告についての警告解除の指示を受け付けることができる。このため、警告解除部１１２ａは、ユーザからの警告解除指示受け付けを監視する（Ｓ２０１）。
【００６８】
なお、表示対象となっている警告が警告解除できる場合には、ユーザにその旨を通知するために、警告解除可能であることを示すマーク等を液晶ディスプレイ３０の警告メッセージの近傍等に表示させるようにしてもよい。
【００６９】
ここで、ユーザからの警告解除指示の受け付けの具体的な内容としては、例えば、いずれかのボタンに警告解除の機能を割り当て、そのボタンの押下を受け付けるというのが挙げられるが、これについては、種々の手順を選択的に採用することができるため、後に詳述する。
【００７０】
ユーザからの警告解除指示を受け付けない場合（Ｓ２０１：Ｎ）は、警告状態を解除することなく、警告状態を継続する（Ｓ２０６）。
【００７１】
一方、ユーザから警告解除指示を受け付けた場合（Ｓ２０１：Ｙ）は、その警告を発生警告リスト１１６から削除する（Ｓ２０２）。これにより、その警告についての警告状態が解除される。
【００７２】
そして、他の警告等がない場合（Ｓ２０３：Ｎ）には、警告に関する表示を終了する。すなわち、液晶ディスプレイ３０は通常表示となる。
【００７３】
他の警告等がある場合（Ｓ２０３：Ｙ）には、表示順にしたがって他の警告を液晶ディスプレイ３０に表示し（Ｓ２０５）、警告状態を継続する（Ｓ２０６）。
【００７４】
次に、ユーザからの警告解除指示の受け付け（Ｓ２０１）の具体的な内容の例について説明する。
【００７５】
まず、第１の例について図９を参照して説明する。本例は、いずれかのボタンに警告解除の機能を割り当てる例である。本例は、液晶ディスプレイ３０の表示領域が狭い場合に有効である。
【００７６】
本例では、警告メッセージとして「メモリ不足のため印刷に時間がかかりました」というメッセージが液晶ディスプレイ３０に表示されており、そのメッセージの隣には右向きの三角マークが表示されている。
【００７７】
この状態で、右ボタン３４が押下されると（Ｓ３０１：Ｙ）、表示制御部１１２の警告解除部１１２ａは、ユーザからの警告解除指示の受け付けたとして、その警告を発生警告リスト１１６から削除する（Ｓ２０２）。これにより、その警告についての警告状態が解除される。
【００７８】
それ以外の場合（Ｓ３０１：Ｎ）は、その警告は解除せず、警告状態を継続する（Ｓ２０６）。
【００７９】
図１０は、ユーザからの警告解除指示の受け付けの第２の例について説明するフロー図である。本例は、ユーザに警告解除の確認をする例である。
【００８０】
本例では、警告メッセージが表示されている状態で右ボタン３４が押下されると（Ｓ４０１）、警告を解除する確認を行なう（Ｓ４０２）。警告を解除する確認は、例えば、「警告を解除しますか  実行」という確認メッセージを液晶ディスプレイ３０に表示し、そのメッセージの隣に右向きの三角マークを表示することで行なう。
【００８１】
この状態で、右ボタン３４が押下されると（Ｓ４０３：Ｙ）、表示制御部１１２の警告解除部１１２ａは、ユーザからの警告解除指示の受け付けたとして、その警告を発生警告リスト１１６から削除する（Ｓ２０２）。これにより、その警告についての警告状態が解除される。
【００８２】
それ以外の場合（Ｓ４０３：Ｎ）は、その警告は解除せず、警告状態を継続する（Ｓ２０６）。
【００８３】
図１１は、ユーザからの警告解除指示の受け付けの第３の例について説明するフロー図である。本例は、ユーザがヘルプを参照すると警告を解除する例である。本例は、ヘルプが用意されている警告に適用することができる。
【００８４】
本例では、ヘルプつきの警告メッセージが表示されている状態（図６参照）で左ボタン３１が押下されると（Ｓ５０１：Ｙ）、表示制御部１１２は、表示対象となっている警告に対応したヘルプを表示する（Ｓ５０２）。
【００８５】
そして、ユーザがヘルプ表示を終了した場合に、併せて、警告解除部１１２ａは、ユーザからの警告解除指示の受け付けたとして、その警告を発生警告リスト１１６から削除する（Ｓ２０２）。これにより、その警告についての警告状態が解除される。なお、ユーザがヘルプ表示中に、例えば、左ボタン３１を押した場合に、ヘルプ表示を終了させることができる。
【００８６】
図１２は、ユーザからの警告解除指示の受け付けの第４の例について説明するフロー図である。本例は、ユーザがヘルプを終了する際にユーザに警告解除の確認をする例である。本例は、ヘルプが用意されている警告に適用することができる。
【００８７】
本例では、ヘルプつきの警告メッセージが表示されている状態（図６参照）で左ボタン３１が押下されると（Ｓ６０１：Ｙ）、表示制御部１１２は、表示対象となっている警告に対応したヘルプを表示する（Ｓ６０２）。
【００８８】
表示制御部１１２は、そのヘルプの中に警告を解除する方法を含めて表示する（Ｓ６０３）。警告を解除する方法の表示は、例えば、「○ボタンを押すと警告を解除します」とすることができる。ここで、○ボタンは、円形の印刷可ボタン３９を意味するものとする。
【００８９】
そして、ユーザがヘルプを終了するために、左ボタン３１を押すと、ヘルプを終了する（Ｓ６０７）。この場合は、警告解除指示を受け付けていないとして、その警告は解除せず、警告状態を継続する（Ｓ２０６）。
【００９０】
一方、ユーザにより印刷可ボタン３９が押下されると（Ｓ６０５：Ｙ）、表示制御部１１２の警告解除部１１２ａは、ユーザからの警告解除指示の受け付けたとして、その警告を発生警告リスト１１６から削除する（Ｓ２０２）。これにより、その警告についての警告状態が解除される。この際に、ヘルプ表示も終了するようにする。
【００９１】
なお、これらの警告解除指示の受け付けの例は、各警告で固定としてもよいし、警告の内容等に応じて変更するようにしてもよい。例えば、警告のうち、より重要度の高い警告に関しては、ユーザの確認を要する警告解除指示の受け付け方を採用し、そうでない警告は確認を要さない警告解除指示の受け付け方を採用するようにしてもよい。
【図面の簡単な説明】
【００９２】
【図１】印刷装置のハードウェア構成を示すブロック図である。
【図２】コントロールパネルの外観を示す図である。
【図３】印刷装置の警告処理に関する機能構成を示すブロック図である。
【図４】警告管理テーブルを示す図である。
【図５】警告処理に関する動作を説明するためのフロー図である。
【図６】ヘルプガイド付きの液晶ディスプレイの外観を示す図である。
【図７】ヘルプガイドなしの液晶ディスプレイの外観を示す図である。
【図８】警告状態を解除できる警告についての処理を説明するフロー図である。
【図９】警告解除指示受け付け手順の第１の例を示すフロー図である。
【図１０】警告解除指示受け付け手順の第２の例を示すフロー図である。
【図１１】警告解除指示受け付け手順の第３の例を示すフロー図である。
【図１２】警告解除指示受け付け手順の第４の例を示すフロー図である。
【符号の説明】
【００９３】
１０…印刷装置、１１…制御部、１２…コントロールパネル、１３…印刷機構部、２１…ホストインタフェース回路、２２…ＣＰＵ、２３…ＲＡＭ、２４…メモリ制御部、２７…インタフェース回路部、３０…液晶ディスプレイ、３１…左ボタン、３２…上ボタン、３３…下ボタン、３４…右ボタン、３５…ジョブキャンセルボタン、３６…データランプ、３７…印刷可ランプ、３８…エラーランプ、３９…印刷可ボタン、１１１…警告検知部、１１２…表示制御部、１１３…指示受付部、１１４…警告管理テーブル、１１５…ヘルプデータベース
【図１】
2006137093.tif 000003
【図２】
2006137093.tif 000004
【図３】
2006137093.tif 000005
【図４】
2006137093.tif 000006
【図５】
2006137093.tif 000007
【図６】
2006137093.tif 000008
【図７】
2006137093.tif 000009
【図８】
2006137093.tif 000010
【図９】
2006137093.tif 000011
【図１０】
2006137093.tif 000012
【図１１】
2006137093.tif 000013
【図１２】
2006137093.tif 000014